Podtech/llm-jp-corpus-v4-ja_patent huggingface dataset:
(57)【要約】【課題】本考案は足踏マッサージで施術者が被施術者のツボを簡単に刺激でき、かつ施術者にもマッサージ効果を与える補助具を提供する。【解決手段】足底裏と足底に突起物を有する物を足に装着した施術者が被施術者に足踏マッサージを行うことにより、両突起物により被施術者と施術者へ同時に刺激を与えマッサージ効果を発生させる構造にした。【選択図】図１
0003122829.tif 000002
【実用新案登録請求の範囲】
【請求項１】
足底裏が１個から複数の突起物からなる足に装着できるマッサージ補助具。
【請求項２】
足底裏の突起物の脱着が可能で、大きさや位置を変える事が出来る突起物からなる請求項１記載のマッサージ補助具。
【請求項３】
１個から複数の突起物を足底に配置した請求項１記載のマッサージ補助具。
【請求項４】
１個から複数の突起物を配置したシートを足底に配置した請求項１記載のマッサージ補助具。
【考案の詳細な説明】
【技術分野】
【０００１】  この考案は、足踏マッサージ補助具に関する。
【背景技術】
【０００２】  従来よりある足のマッサージの補助具は、マッサージを行う者（施術者）が自重や自力の有効利用を図り、自身がマッサージを受ける者（被施術者）となるものであった。
【特許文献１】  特許公表平９−５０６５３７公表特許公報
【実用新案文献１】
登録実用新案第３０１３９１４登録実用新案公報
【考案の開示】
【考案が解決しようとする課題】
【０００３】  施術者と被施術者に分かれて行うマッサージの形態に施術者が足裏で被施術者を踏む足踏マッサージがある。【０００４】  素人が施術者となり足踏マッサージを行う場合、足裏の形はなだらかな湾曲状であることから被施術者のツボを的確に刺激することは困難である。【０００５】  また施術者が疲労する度合いが強い。【０００６】  この考案は足踏マッサージをされる側に的確な刺激を与えると同時に、マッサージをする側にも心地の良いマッサージ効果を発生させることを目的とするものである。
【課題を解決するための手段】
【０００７】  以上の課題を解決するために、第一考案は、足に装着できる物の足底裏に１個から複数の突起物を付した。【０００８】  第二考案は第一考案の突起物を取り外して大きさや位置を変えられるようにした。【０００９】  第三考案は、第一考案の足底に１個から複数の突起物を配置した。【００１０】  第四考案は、第三考案の突起物をシート状の物に配置した上で足底に装着した。
【考案の効果】
【００１１】  足裏底と足裏に突起物を有する物を足に装着した状態で足踏マッサージを行えば、施術者は足底裏の突起物より被施術者のツボを簡単に刺激できると同時に、足底の突起物により自身の足裏を刺激、マッサージの効果を得ることができ、双方向のマッサージが可能となった。
【考案を実施するための最良の形態】
【００１２】  施術者はサンダル状や靴の状態に作られたこの補助具を足に履く、またシート状に作られたこの補助具を足裏に合わせてから靴下状の物で足を覆う、シートに繋がったゴムや紐等を足に結びつけるなどして足に装着する。【００１３】  この補助具を足に装着した施術者は、腹臥位もしくは側臥位になった被施術者を軽く踏んでマッサージを行う。【００１４】  施術者が椅子に腰掛けたり、また長座位になることで両足を同時に用いマッサージすることも可能である【００１５】  本件第二考案により足底裏の突起物の大きさを替え、刺激する範囲を被施術者の好みに応じて調節できる。【００１５】  本件第三考案の足底の突起物を脱着可能にすることにより、また第四考案によりシート毎取り外すことにより、施術者は度合いに応じ突起物を取り外して自身の足裏への刺激を調節できる。
【図面の簡単な説明】
【図１】本考案の裏面斜視図である
【図２】本考案の側面図である
【図３】本考案の上面斜視図である
【符号の説明】
１本体
２足底裏の突起物
３シート状の足底の突起物
【図１】
0003122829.tif 000003
【図２】
0003122829.tif 000004
【図３】
0003122829.tif 000005
(57)【要約】      （修正有）【課題】簡単な動作で、かつ迅速に使用済み紙管を排出し、新しいトイレットペーパーをセットすることができる。【解決手段】上部に予備のトイレットペーパーの収納部１ａ及び１ｂを有するトイレットペーパーホルダー本体は、トイレットペーパーの紙管中心を回転中心とするセパレーター３とトイレットペーパーホルダー本体の左右に取付けられ、セパレーター３の回転によりロックが解除され使用済み紙管が排出される方向に可倒な紙管支持用爪５により構成される。【選択図】図１
0003122828.tif 000002
【実用新案登録請求の範囲】
【請求項１】
段数を変更することにより収納数を変更できる予備ペーパー収納部と、回転スライドし予備のトイレットペーパーを分離し、かつ補充するトイレットペーパーを受け取り、また、その動作によりロール紙管支持用爪の固定を解除するセパレーターを特徴とするトイレットペーパーホルダー。
【考案の詳細な説明】
【技術分野】
【０００１】  本考案は上部に予備トイレットペーパー収納部を設けた供給機能付トイレットペーパーホルダーに関するものである。
【背景技術】
【０００２】従来のトイレットペーパーホルダーは予備収納部が無く、予備のトイレットペーパーは他に保管するしかなかった。また、使い終わった後、トイレットペーパーの交換はまず使用済み紙管を取り外し、その後新しいトイレットペーパーを取付けていた。
【考案の開示】
【考案が解決しようとする課題】
【０００３】予備のトイレットペーパーを別の場所に保管することはスペースも必要になるし、また、トイレットペーパーを交換する際、保管場所が別にあると手間がかかっていた。従って、予備のトイレットペーパー収納部をトイレットペーパーホルダー本体に取付け、簡単な操作によりトイレットペーパーを交換可能にすることにより前述の問題を解決しようとするものである。
【課題を解決するための手段】
【０００４】本考案は、収納数を変更可能にするため分割式にした予備トイレットペーパー収納部をトイレットペーパーホルダー本体上部に設け、また、本体は予備のトイレットペーパーと使用中のトイレットペーパーを分離するためのセパレーター及びロール紙管支持用爪を有している。ロール紙管支持用爪はトイレットペーパー交換時、セパレーターの回転スライド機構により固定、解除する構造になっており、簡単に新しいトイレットペーパーを装着可能にしている。
【考案の効果】
【０００５】上述のように、本考案は収納数変更可能、かつ、直接トイレットペーパーをペーパーホルダーに供給可能な予備トイレットペーパー収納部を設けたトイレットペーパーホルダーにすることにより、予備トイレットペーパーの保管スペースが不要になり、また、簡単、迅速にトイレットペーパーの交換ができることにより、時間及び労力を省くことができる。
【実施例】
【０００６】以下、本考案を添付図面に従って説明する。トイレットペーパーは図１に示す予備ロール投入口フタ１ｃをあけ予備ロール収納部に投入します。予備のトイレットペーパーは図１に示す予備ロール収納部１ｂを増やすことによりその収納数を増やすことができる。【０００７】投入されたトイレットペーパーは図１に示すロール交換用取手３ａを下方に押し下げることによりペーパーホルダー本体２の中に落ち、図５に示すセパレーター３の上に乗る。その際、使用済みのロール紙管は新しいトイレットペーパーにより下方に押し出される。ロール紙管支持用爪５は、セパレーター３が回転し、ロール紙管支持用爪解除切欠き１１ａがロール紙管支持用爪５の位置に来ることにより、固定が解除され、ロール紙管支持用爪支点軸７を軸にトイレットペーパーの自重によって下方に回転する（図６に示す）。そして、ロール紙管支持用爪５は、トイレットペーパーがセパレーターの上に乗ると、トイレットペーパーとの接触がなくなり、つるまきばね１０により元の状態に戻りロール紙管内に入る。【０００８】トイレットペーパーがセパレーター３の上に乗ったことを確認後、ロール交換用取手３ａを上方に回転させ元の位置まで戻す。ロール紙管支持用爪５は、セパレーター３を元に戻すことにより固定される。また、ペーパーホルダー本体２内のトイレットペーパーの上にある予備のトイレットペーパーはセパレーター３により上に持ち上げられ、ホルダー本体２内のトイレットペーパーとの接触がなくなり、新しいトイレットペーパーの装着が完了する。【０００９】万一、予備のトイレットペーパーを予備ロール収納部１に投入してしまった場合は、図１に示すロール紙管支持用爪解除ノブ４を矢印方向に回転することにより、ロール紙管支持用爪解除切欠き１１ｂがロール紙管支持用爪５の位置に来るためロール紙管支持用爪は固定が解除され、逆投入されたトイレットペーパーはその自重によって下方に排出される。
【図面の簡単な説明】
【００１０】
【図１】本考案によるトイレットペーパーホルダー本体斜視図である。
【図２】通常使用時のトイレットペーパーホルダー正面図である。
【図３】図２におけるＡ−Ａ断面矢視図である。
【図４】図３におけるＢ−Ｂ断面矢視図である。
【図５】図３においてセパレーターを回転させトイレットペーパーを交換する状態にした図である。
【図６】図５におけるＣ−Ｃ断面矢視図である。
【図７】予備トイレットペーパー収納部の段数を１段増やした図である。
【符号の説明】
【００１１】１    予備ロール収納部
２    ペーパーホルダー本体
３    ロール交換用取手
４    ロール紙管支持用爪固定解除ノブ
５    ロール紙管支持用爪
６    ペーパーカッター
７    ロール紙管支持用爪支点軸
８    ペーパーカッター支点軸
９    ローラー
１０  つるまきばね
１１  ロール紙管支持用爪解除切欠き
【図１】
0003122828.tif 000003
【図２】
0003122828.tif 000004
【図３】
0003122828.tif 000005
【図４】
0003122828.tif 000006
【図５】
0003122828.tif 000007
【図６】
0003122828.tif 000008
【図７】
0003122828.tif 000009
(57)【要約】      （修正有）【課題】水稲の播種後に起こりやすい根上り、覆土の持ち上がり、ころび苗を防ぐことができる転圧機を提供すること。【解決手段】一般的に使用される育苗箱にあう幅、適度な加圧ができるローラー部と楽な姿勢で作業が行える長さの把手部、なおかつ総重量が女性、年配者でも扱いやすいことを特徴とする転圧機。【選択図】図１
0003122826.tif 000002
【実用新案登録請求の範囲】
【請求項１】
ローラー幅１が０．２６ｍ〜０．３ｍであって、総重量が１．８ｋｇ〜２．５ｋｇであって、加圧力が１４７０Ｐａ〜１９６０Ｐａであって把手部２の長さが１.４ｍ〜１.６ｍであることを特徴とする転圧機。
【考案の詳細な説明】
【技術分野】
【０００１】
本考案は播種後の種籾が育苗箱の床土になじむように上から圧力をかける機具に関するものである。
【背景技術】
【０００２】
水稲の播種後には根が床土に入れない為に根上り、覆土の持ち上がり、ころび苗等の苗の発育障害が多々発生する。これらは水分、養分を十分吸収できず軟弱苗になったり、枯死してしまうので種籾の状況にあわせて散水や覆土をかけ直すなどの対処作業を行っていた。
【特許文献１】なし
【考案の開示】
【考案が解決しようとする課題】
【０００３】
稲作農家にとって米作りを左右する苗の発育障害は精神的負担であり、種籾の状況にあわせた対処作業は時間的、労働的にも負担が大きい。従って根上り、覆土の持ち上がり、ころび苗を未然に防ぐことが出来る転圧機を提供することを目的とする。
【課題を解決するための手段】
【０００４】
本考案では、ローラー幅１を０．２６ｍ〜０．３ｍにすることによって育苗箱の短辺に合うので覆土の均一な転圧が行え、総重量を１．８ｋｇ〜２．５ｋｇにすることによって適切な加圧力１４７０Ｐａ〜１９６０Ｐａで転圧が行え、把手部２の長さを１．４ｍ〜１．６ｍにすることによって楽な立ち姿勢で作業が行えることにより、問題点を解決している。
【考案の効果】
【０００５】
本転圧機は覆土された種籾に圧力を加えることによって、種籾が床土になじみ根が下に伸び十分に根を成長させることができる。その結果水分、養分を十分に吸収し健苗育成ができる。
【考案を実施するための最良の形態】
【０００６】
以下、添付図面に従って実施例を説明する。図１は本考案の正面図である。１のローラーの幅は図２の４育苗箱の短辺にあっているため一往復で均一に転圧できる。図３は作業実施図である。２把手部の長さの特徴から２枚並んだ育苗枠の奥でも楽な姿勢での作業ができる。
【図面の簡単な説明】
【０００７】
【図１】本考案の斜視図
【図２】本考案の育苗箱との関係を示す斜視図
【図３】本考案の作業実施図
【符号の説明】
【０００８】
１  ローラー
２  把手
３  育苗箱
【図１】
0003122826.tif 000003
【図２】
0003122826.tif 000004
【図３】
0003122826.tif 000005
(57)【要約】【課題】  幅広い年齢層の人々に愛され親しまれている野球であるが、その技術上達のための鍛錬具というものは以外に少ない。技術向上を目指すうえで投球技術の基本となる指の力の強化は必要不可欠のものと言える。【解決手段】  技術向上を目指す上で、投球技術の基本と言うべき指の力を訓練して、コントロールの乱0003122822.tif 000015錬ができる。【選択図】図１
0003122822.tif 000002
【実用新案登録請求の範囲】
【請求項１】
ほぼ半球状の上部鍛錬部分と下部鍛錬部分とに分けて形成したものを、前記上部鍛錬部分と下部鍛錬部分を連結するようにこれらに埋め込まれて互いに対して弾力的に分離する
0003122822.tif 000011
具。
【請求項２】
0003122822.tif 000012
【請求項３】
0003122822.tif 000013
【請求項４】
0003122822.tif 000014
【考案の詳細な説明】
0003122822.tif 000003
【技術分野】
【０００１】
0003122822.tif 000004
【背景技術】
【０００２】
0003122822.tif 000005
れた器具は少ない。
【考案の開示】
【考案が解決しようとする課題】
【０００３】あらゆるスポーツにとって、腕力およびグリップが強いことは必要な要素であり上達の近道であるが、とりわけ緻密な技術を求められる野球に関しては、送球の際の指
0003122822.tif 000006
える。【０００４】特に、投手のみならず、あらゆるポジションの人にとっても、ボールの握り方は基本的に重要であり、さらに指の力の強化はコントロールの乱れを防ぐ上で大いに役立ち、強化鍛錬することが望まれる。
【課題を解決するための手段】
【０００５】実際のボールに近い感触を味わいながら、強化鍛錬することが理想的であるため、実態に近い野球ボールを形取った鍛錬具を提供する。
【考案の効果】
【０００６】野球愛好家の人達にとっては、更なる上達に導く強化鍛錬のための小道具であり、よりレベルアップを目指す人にとっては必需品となり得る。年少時から馴染んで鍛錬することにより成長期には大いなる飛躍をも期待できる。【０００７】
0003122822.tif 000007
締めることにより、併せてグリップ力もより強化される。
【考案を実施するための最良の形態】
【０００８】下地は強化プラスチックで硬式ボール状に形成して、プラスチックの表面には皮革（又は合成皮革）を張り付けて、さらに糸の縫い目模様を施し、糸の縫い目の盛り上がった部分も実感できるものとする。【０００９】ボールは上部と下部に切断された形状として上下の中間部には圧縮コイルバネを保護カバー（強化ビニールなど）とともに配して上下に施したバネ受け孔に嵌め込んで
0003122822.tif 000008
バネの保護カバーは上部下部ともバネより短めでよい。【００１０】ボールの表面の皮革部分は白色とし、縫い目の盛り上がり部分は赤糸とする。
ボールの縫い目は、幅の広い部分と狭い部分がある。
上部を幅広とし、下部を幅狭の縫い目として使用時には天地を変える事により両方の握り方が実践できる。【００１１】ボールの実態感を大切にしたいので、上部と下部の直径（高さ）を７．０ｃｍ位（ほぼ実物大）として、指の力で縮めた時最大６．０ｃｍ位まで縮めばよい。
0003122822.tif 000009
握った時に縮みすぎないことが重要である。【００１２】軟式野球向きに多少柔らかめに指で上下を縮めた時５ｃｍ位まで縮められるものがよい。（硬式用、軟式用と２種類あるとよい。）【００１３】いずれも使用方法によってはリハビリ用器具として活用することが可能である。【００１４】野球を愛する青少年の夢を育む鍛錬強化具として期待できる。
【図面の簡単な説明】
【００１５】
【図１】
0003122822.tif 000010
【図２】本考案の上部と下部の連結を示す変形分解図
【符号の説明】
【００１６】１Ａ．上部鍛錬具              １Ｂ．下部鍛錬具
２Ａ．上部皮革部              ２Ｂ．下部皮革部
３Ａ．上部縫い目模様部        ３Ｂ．下部縫い目模様部
４Ａ．上部プラスチック部      ４Ｂ．下部プラスチック部
５Ａ．右  圧縮バネ            ５Ｂ．左  圧縮バネ
６Ａ．６Ｂ．右圧縮バネ止め孔  ６Ｃ．６Ｄ．左圧縮バネ止め孔
７Ａ．右圧縮バネカバー        ７Ｂ．左圧縮バネカバー
【図１】
0003122822.tif 000016
【図２】
0003122822.tif 000017
【手続補正書】
【提出日】平成18年3月24日(2006.3.24)
【手続補正１】
【補正対象書類名】実用新案登録請求の範囲
【補正対象項目名】請求項４
【補正方法】変更
【補正の内容】
【請求項４】
野球ボールの実態感を楽しみながら，存分に馴染んでおくことにより，実践の場において，違和感をおぼえることなく，効果が顕れるよう，実物同様に，赤い糸による縫い目模様を施してあることを特徴
0003122822.tif 000018
(57)【要約】      （修正有）【課題】従来の覗き窓は、硝子を高温で金属リングに溶着するため、硝子部の透明度が悪くなったり、金属表面処理、金属リングの加工等低価格が困難であった。そこで、金属リングを樹脂枠にかえ、覗き窓部は透明硝子板を使用し、透明度が良く低価格の覗き窓を提供する。【解決手段】金属リング６を樹脂枠１にかえ、覗き窓部３を透明硝子板２とし、透明性を向上させ、金属加工、高温加熱、表面処理等を不要とし問題を解決する。【選択図】図１
0003122830.tif 000002
【実用新案登録請求の範囲】
【請求項１】
透明硝子板の外周側面とこの透明硝子板の外周片端面を樹脂枠にて一体固着させ、前記透明硝子の他の面を密封オーリングの接触面としたことを特徴とする覗き窓。
【考案の詳細な説明】
【技術分野】
【０００１】本考案は液体、ガス等を使用する機器内部の液体、ガスの状態を監視する覗き窓に関する。
【背景技術】
【０００２】従来の覗き窓は、金属リングに硝子を高温溶着させた後、金属の表面を表面処理して、機器に取り付けて使用していた（図３）
【非特許文献１】実用新案登録出願人が、登録出願の時に知っている技術（図３）
【考案の開示】
【考案が解決しようとする課題】
【０００３】しかしこれでは、硝子を高温で金属リングに溶着するため、覗き窓の硝子部の透明度が悪くなったり、金属表面処理後の乾燥に高温熱風を使用するため、省エネルギー生産をすることが出来ない。
また、金属リング表面処理の廃液、金属リング加工時の加工油等の廃液処理が必要であるため、低価格での生産が困難である。
【課題を解決するための手段】
【０００４】そこで、金属リングを樹脂枠にかえ、覗き窓部は透明硝子板を使用した覗き窓を考案した（図１）
硝子を高温で金属へ溶着する必要がないため、覗き窓部は透明度が維持でき、金属リング部は樹脂枠としたため、表面処理は不要である。
【考案の効果】
【０００５】よって、考案の覗き窓は、硝子を金属へ溶着するような、高温処理を必要としないため、覗き窓部の透明度が良好で、省エネルギー生産が出来る。また、金属リングを樹脂枠にかえたため、表面処理と金属加工は不要で、低公害化でき低価格、軽量化することが出来る。また、硝子表面をオーリングの接触面とするため、面粗度は良好で密封機能も良好となる。
【考案を実施するための最良の形態】
【０００６】本考案に係る覗き窓は、図１に示すように樹脂枠１で、透明硝子板２を一体固着させ覗き窓３を形成している。樹脂枠は図２の透明硝子板外周側面１０とこの透明硝子板の外周片端面１１に固着し、この硝子の一面を密封オーリングの接触面とする。
【図面の簡単な説明】
【０００７】
【図１】本考案に係る覗き窓を、機器に取り付けた状態の断面図である。
【図２】本考案に使用する透明硝子板の立体図である。
【図３】従来の金属リング溶着の覗き窓の断面図である。
【符号の説明】
【０００８】１    樹脂枠
２    透明硝子板
３    覗き窓部
４    オーリング
５    溶着硝子
６    金属リング
７    液、ガス通路
８    機器本体
９    取り付け押さえ部
１０  外周側面
１１  外周片端面
【図１】
0003122830.tif 000003
【図２】
0003122830.tif 000004
【図３】
0003122830.tif 000005
(57)【要約】      （修正有）【課題】ヘッドライトをヘルメットに対して着脱自在に取り付けが可能であって、しかも取り付けたヘッドライトが衝撃等により外れないクリップ力をもったヘッドライトを提供する。【解決手段】クリップ力を高めるため、ヘルメット前縁部のＲに合わせた形状、前縁部外周のＲにロックが掛かる設計にすることにより問題点を解決する。【選択図】図１
0003122825.tif 000002
【実用新案登録請求の範囲】
【請求項１】
ヘルメット及び帽子の前縁部に着脱が自在にできる連結手段を具備することを
特徴とするヘッドライト装置
【請求項２】
前記前縁部への着脱はスリム化を図ることにより前縁部の下部に取り付けができる
請求項１のヘッドライト装置
【考案の詳細な説明】
【技術分野】
【０００１】
本考案は、ヘルメット、帽子の下部にも取り付け可能なヘッドライトに
関するものである。
【背景技術】
【０００２】
ヘルメットの外部取り付けヘッドライトでは、作業中にヘッドライトが他の物に干渉し、破損、照射角度の位置ずれが起きる問題がある。
【考案の開示】
【考案が解決しようとする課題】
【０００３】
解決しようとする問題点は、既存のヘッドライトでは下部に取り付けることにより
視界が妨げられ、作業が出来ない点である。
【課題を解決するための手段】
【０００４】
本考案は、ヘッドライトのスリム化により下部に取り付けても視界が妨げられない
設計であることを最も重要な特徴とする。
【考案の効果】
【０００５】
本考案のヘッドライトは、破損、照射角度の位置ずれが皆無で、ヘッドライトが起因する、作業中の作業中断がクリアーできる。
【考案を実施するための最良の形態】
【０００６】
ヘルメット前縁部の下部に取り付けても、視界を妨げずに作業が出来るヘッドライトの実現
【実施例１】
【０００７】
図１は、本考案のヘッドライト２をヘルメット１に取り付けた、３Ｄの全体図である。
図２は、本考案のヘッドライト全体３を示す図である。
【産業上の利用可能性】
【０００８】
ヘルメット着用が義務付けられている夜間作業全般（土木・建設等）及び夜釣りなどの照明にも適用できる。
【図面の簡単な説明】
【０００９】
【図１】ヘッドライトをヘルメットに取り付けた図面である。（実施例１）
【図２】ヘッドライトの全体図である。
【符号の説明】
【００１０】
１  ヘルメット
２  ヘッドライト
３  ヘッドライト全体
【図１】
0003122825.tif 000003
【図２】
0003122825.tif 000004
(57)【要約】      （修正有）【課題】ドアの端縁と戸当りとの間に指を挟んだりしても怪我の危険性のない安全なドアを提供する。【解決手段】ドア本体１の開口側の端縁面の上下１００ｍｍ残して２０ｍｍ切り落とし、さらにその面に溝３を彫り、その溝３にバネ４を取り付け、戸当り２をビス５で取り付けしたことを特徴とする。【選択図】図２
0003122867.tif 000002
【実用新案登録請求の範囲】
【請求項１】
ドア本体の開口側の端縁面の上下１００ｍｍ残して端縁面を２０ｍｍ切り落とし、さらにその面に溝を彫り、その溝にバネを取り付けてから戸当りをビスで取り付けしたことを特徴とする、安全戸当り。
【考案の詳細な説明】
【技術分野】
【００１】本考案は、ドアに関する。
【背景技術】
【００２】ドアを閉める時、ドアの端縁と戸当りとの間に指を挟んだりして怪我の危険性がある。
【考案の開示】
【考案が解決しようとする課題】
【００３】本考案は、ドアの端縁と戸当りとの間に指を挟んだりしても怪我の危険性のない安全なドアを提供する。
【課題を解決するための手段】
【００４】上述の目的を達成する本考案の安全戸当りは、ドアに溝を彫りその溝にバネを取り付け、戸当りを取り付けたのが特徴である。
【考案の効果】
【００５】以上説明したように本考案によれば、ドアの端縁と戸当りとの間に指を挟んだりしても、戸当りがバネにより引っ込むため、怪我の危険性のない安全なドアとすることが出来る。
【考案を実施するための最良の形態】
【００６】以下、本考案の実施の形態を図面に基づき説明する。【００７】図１〜２は本考案の形態に係り、図１正面図、図２ドア断面図。【００８】図１に示すように、溝３を掘った本体ドア１に戸当り２を取り付ける。【００９】図２に示すように、バネ４を取り付け、戸当り２を溝３にビス５で取り付ける。
【実施例】
【０１０】指が挟まれたとき、バネにより戸あたりが引っ込むため、怪我の危険性が少なくなる。【０１１】以上、本考案は実施の形態及び実施例を説明したが、本考案の範囲はこれに限定されるものでない。例えば切り落としの範囲、戸当りの形態、取り付け方法及びバネの形状は状況に応じて適宜選択されるものである。
【産業上の利用可能性】
【０１２】本考案は建具を製造、販売する産業分野で利用することができる。
【図面の簡単な説明】
【０１３】
【図１】ドアの正面図である。
【図２】ドア断面図である。
【符号の説明】
【０１４】１          本体ドア
２          戸当り
３          溝
４          バネ
５          ビス
【図１】
0003122867.tif 000003
【図２】
0003122867.tif 000004
(57)【要約】【課題】洗濯後の物干し掛けによるフード付衣服の自然乾燥を速やかにするハンガーないしその部材を提供する。【解決手段】略Ｖ字状の屈曲棒材１の両端をハンガー本体２の両横部に回動可能状に取り付けるとともに、ハンガー本体２に着止する着止部を片端に有する着止棒材３の他端を該屈曲部材１の中央突出箇所に回動可能状に取り付ける。また部材品として、両端部がハンガー本体２に着止可能状に形成された略Ｖ字状の屈曲棒材１の中央突出箇所に、ハンガー本体２に着止する着止部を片端に有する着止棒材３の他端を回動可能状に取り付けたものとする。【選択図】図１
0003122868.tif 000002
【実用新案登録請求の範囲】
【請求項１】
略Ｖ字状の屈曲棒材の両端をハンガー本体の両横部に回動可能状に取り付けるとともに、該ハンガー本体に着止する着止部を片端に有する着止棒材の他端を該屈曲部材の中央突出箇所に回動可能状に取り付けて成ることを特徴とするフード付衣服用ハンガー。
【請求項２】
両端部がハンガー本体に着止可能状に形成された略Ｖ字状の屈曲棒材の中央突出箇所に、該ハンガー本体に着止する着止部を片端に有する着止棒材の他端を回動可能状に取り付けて成ることを特徴とするフード付衣服用ハンガー部材。
【考案の詳細な説明】
【技術分野】
【０００１】この考案は、フード（帽子）付衣服を洗濯した後に干して乾かすのに用いるハンガー並びにその部材に関する。
【背景技術】
【０００２】現状において、フード付きの衣服を家庭用洗濯機等で洗濯した後に干して乾かす際には、他の衣服同様にこれをハンガーに掛けて自然乾燥を待つのが常套手段となっている。
【考案の開示】
【考案が解決しようとする課題】
【０００３】このようなフード付きの衣服をハンガーに掛けて干す場合、フード部分が折れ曲がって背中部分と重なるため、その重なった箇所の乾燥が著しく遅れて早期の使用に支障が生じるという難点があった。本考案はかかる難点を解決することを課題とする。
【課題を解決するための手段】
【０００４】略Ｖ字状の屈曲棒材１の両端をハンガー本体２の両横部に回動可能状に取り付けるとともに、ハンガー本体２に着止する着止部を片端に有する着止棒材３の他端を該屈曲部材１の中央突出箇所に回動可能状に取り付けて、本考案のフード付衣服用ハンガーとする。【０００５】或いはこれをハンガー本体２とは別の商品形態とし、両端部がハンガー本体２に着止可能状に形成された略Ｖ字状の屈曲棒材１の中央突出箇所に、ハンガー本体２に着止する着止部を片端に有する着止棒材３の他端を回動可能状に取り付け、フード付衣服用のハンガー部材としてもよい。ユーザーはこの部材を購入し、必要に応じ任意に自己所有のハンガーに取付けて使用することになる。【０００６】ここで言う「略Ｖ字状」とは、棒材を屈曲させてフード部分を支えるに足ればよいわけであるから、実際にはＵ字状を呈するような場合も含まれるものとする。【０００７】また「棒材」といってもその太さを規定するわけではなく、同等の機能を果たせれば線材的なイメージのもの、或いはその形状をアレンジした成形物であってもこれに含まれることは言うまでもない。【０００８】回動可能状に取り付ける手段は、ハンガー本体等に存在する軸となるべき箇所にこれを囲むように鈎状湾曲させた棒材の端を強制嵌合させるような常套方法で対応できる。【０００９】また着止棒材３をハンガー本体２に着止させる手段は、上記の回動可能な取り付け方法、或いは単にＪ字状体にしてその先端湾曲部を引っ掛けるようにしてもよいが、他に例えばクリップ、ホック、面状ファスナー等のような止め具を設けておいてもよい。本願ではこれらを総称して「着止」という。【００１０】このようにして取り付け及び着止した後のハンガーは、略三角錐状の突出部が片側に形成されるから、そこにフード付衣服のフード部を図面のように上向きに掛けて干すことになる。但し強風などで外される事態を防ぐために、該三角錐状体の先端部などにクリップのような止め具をセットしておくことは任意である。
【考案の効果】
【００１１】このように本考案によれば、乾燥に手間取ったフード付衣服のフード部は持ち上げられて通風が良くなるため、物干しによる自然乾燥のみで他の衣服と同様に速やかに洗濯処理し使用に供することができるという効果がある。
【考案を実施するための最良の形態】
【００１２】直径約５ｍｍ、全長約３００ｍｍのプラスチック製棒材を中央部においてなだらかに約約１１０°屈曲させ内角約７０°の略Ｖ字状体に形成してその両端にクリップ４を固着し、一方、同様の全長約３００ｍｍのプラスチック製棒材の片側をＪ字状に、他側を小Ｃ字状に湾曲させ、その小Ｃ字側を前記略Ｖ字体の屈曲頂部に強制嵌合して回動可能状に連結し、該連結箇所には横方向の移動を妨げる堰止体５を形成して、フード付衣服用ハンガー部材Ａとする。【００１３】上記クリップ４をハンガー本体２の両横部に止め、フード付衣服を干す際には、上記のＪ字状湾曲部をハンガー本体２の中央部に引っ掛けて三角錐状突出部を形成し、そこにフード部を上向きに掛け、必要に応じクリップで止める。なお本考案はかかる例に限るものでないことは言うまでもない。
【産業上の利用可能性】
【００１０】このような本考案のハンガーないしハンガー部材は、多くのフード付衣服の洗濯後処理においてニーズが高く、製造も容易であるから、産業上の利用可能性は十分にあるといえる。
【図面の簡単な説明】
【００１１】
【図１】本考案一例の見取図
【図２】通常のハンガーでフード付衣服を干したときの見取図
【図３】本考案でフード付衣服を干したときの見取図
【符号の説明】
【００１２】１‥‥‥屈曲棒材
２‥‥‥ハンガー本体
３‥‥‥着止部材
４‥‥‥クリップ
５‥‥‥堰止体
Ａ‥‥‥フード付衣服用ハンガー部材
【図１】
0003122868.tif 000003
【図２】
0003122868.tif 000004
【図３】
0003122868.tif 000005
(57)【要約】【課題】米をいれた米袋をネズミが噛まない米袋置き台を提供する。【解決手段】米２を入れた米袋１のほぼ同じ面積の米袋置き台３の周囲にネジリブラシ４を設置、それを脚５やブロック等で地面から離す。【選択図】図２
0003122866.tif 000002
【実用新案登録請求の範囲】
【請求項１】
米袋と同等面積の米袋用置き台の周囲にネジリブラシを設置したことを特徴とする米袋置き台。
【考案の詳細な説明】
【技術分野】
【０００１】本考案は米を入れた米袋をネズミから保護するために米袋と同等面積の置き台の周囲にネジリブラシを設置したしたものである。
【背景技術】
【０００２】従来より米を入れた米袋をネズミ被害から保護する構造の米袋置き台はなかった。
【考案の開示】
【考案が解決しようとする課題】
【０００３】米を入れた米袋はよくネズミに噛み破られることがあったが、本考案はこの課題を解消するためになされたものである。
【課題を解決するための手段】
【０００４】米２を入れた米袋１の接地面積と同等面積のテーブル状の置き台３の周囲にネジリブラシ４を設置したものを、脚５やブロック等により地面から離しネズミが届かない高さに設定する。
【考案の効果】
【０００５】米の入った米袋をネズミが噛み破る場合は後ろ足で踏ん張って歯を米袋を押しあてて噛み破るがその踏ん張る足場がなく、そこにネジリブラシの針状物があればネズミは米袋を噛み破ることはできないと同時に米袋の上からも噛み破ることができない。
【実施例１】
【０００６】テーブル状の置き台３を米２が入った米袋１と同等の面積にして、その周りにネジリブラシ４を設置し別途に脚５やブロック等で地面から離す。
【図面の簡単な説明】
【０００７】
【図１】本考案の使用状態を示す正面図である。
【図２】本考案の使用状態を示す断面図である。
【符号の説明】
【０００８】１  米袋
２  米
３  米袋置き台
４  ネジリブラシ
５  脚
６  米袋の口
【図１】
0003122866.tif 000003
【図２】
0003122866.tif 000004
(57)【要約】【課題】本考案は、トィレットペーパーの素材によりペニスを挿入できる袋部を設け、袋状の上端部にパンツの上部に保持できる係止部を設ける。使い捨て男性用軽頻度尿漏れケースは軽度の尿失禁者の下着への尿汚染や尿臭で不安感や不快感を防止する。【解決手段】トィレットペーパーの素材によりペニスを挿入できる袋部を設け、袋部の上端部にパンツの上部に保持できる係止部を設けることにより、現在の尿漏れ防止商品は、吸着性や保水性には優れているが、トイレに流せるタイプのものはない。保水性・吸着性に優れたのもは後処理に不便である。そして、保水性・吸着性に優れているため経済的なコストも高く長時間使用すると皮膚のただれや尿疾患の病気を誘発する可能性がある。本考案の使い捨て男性用軽頻度尿漏れケースは、尿を吸収できる適度の厚みのトィレットペーパ−を素材として製造しているため、着用後に尿漏れが止まればその都度、尿漏れケースを大便器に流すことができ後始末に便利です。１回毎に着用し尿漏れが止まれば尿漏れケースを着脱し通常の下着の状態に戻り違和感なく快適に過ごせるので役立ちます。【選択図】図１
0003122861.tif 000002
【実用新案登録請求の範囲】
【請求項１】
吸水性及び流水性や水解性に優れたトィレットペーパーの材料を素材とした袋状の内側にペニスを挿入しできる袋部を形成し、前記袋部の上部片端にパンツで保持できる係止部を備えたことを特徴とする使い捨て男性用軽頻度尿漏れケース。
【考案の詳細な説明】
【技術分野】
【０００１】  本考案は、吸水性及び流水性や水解性に優れたトィレットペーパーの材料を素材とした袋状の内側にペニスを挿入しできる袋部を形成し、前記袋状の上部片端にパンツで保持できる係止部を備えたことを特徴とする使い捨て男性用軽頻度尿漏れケースに関するものである。
【背景技術】
【０００２】  高齢化や男性の尿漏れ等で悩む者も多く、現在の物は尿漏れを下着に吸収するタイプやナプキンタイプに尿を吸収する物が多く、尿漏れパットを大便トイレに流せる物がない。  尿漏れナプキンの経済性や後処理に苦慮することを考えると、この発明の利用価値は大きい。
【考案の開示】
【考案が解決しようとする課題】
【０００３】  尿漏れ者は、パンツに尿を漏らしたりしてとても不快で、トランクス状ですとトイレやその周辺に尿が滴下し不潔です。ときには、パンツだけでなくズボンにも尿の染みが拡大します。現在のものは長時間使用するものが多く、着用者の周りへの尿臭の気遣いがあり精神的に負担が大きいです。  また、吸水性・保水性に優れているためコスト面において高く、しばらく使用は可能なため尿臭が漂い、陰部も不潔になり着用者の皮膚がただれたり尿疾患などの病気を誘発しやすい。特に、外出勤務者には、使用後の後始末に苦慮する。着用者が長時間使用するため、着脱の粘着性を高めないと活発な行動をするとずれたり取れたり尿が漏れたりするので、１回毎の使い捨てにし前述の欠点を解決しようとするものである。
【課題を解決するための手段】
【０００４】  吸水性及び流水性や水解性に優れたトィレットペーパーの材料を素材とした袋状の内側にペニスを挿入しできる袋部を形成し、前記袋部の上部片端にパンツで保持できる係止部を備えたことを特徴とする使い捨て男性用軽頻度尿漏れケースです。現在の尿漏れ商品は、吸着性や保水性には優れているが、トイレに流せるタイプの物はなく、保水性・吸着性に優れた物は後処理に不便である。そして、保水性・吸着性に優れているため経済的なコストも高い。また、着用者の装着時の精神的不安があり、周囲への尿臭等の精神的な不安や心配が常にある問題を解決している。
【考案の効果】
【０００５】  上述の様に、本考案の使い捨て男性用軽頻度尿漏れケースは、毎日、何度もトイレを使用し、その後の尿漏れに不快感や周囲への不安を抱えていましたが、使い捨て男性用軽頻度尿漏れケースを使用することにより尿処理後の安心感がもたらされ、尿漏れ後の始末も大便用のトイレに流せるので清潔である。使い捨て男性用軽頻度尿漏れケースの素材はトィレットペーパーの素材を使用している為、経済的にも安価である。本発明を使用することにより、尿臭や尿汚染による下着・ズボンやトイレ周辺の尿汚染を防止することができ、１回毎の使い捨てのため尿漏れが止まれば、着用者は通常の着用前の下着の状態に戻り装着の不快感も無くなり積極的に活動できる。さらに、周りへの気遣いが無く、後始末の不便も解消できるので役立ちます。【０００６】  適度の厚みで軽頻度の尿漏れを保水吸収できるトィレットペーパーを素材として使用し、尿漏れ等が収まったら着脱した袋状のケースごと、大便用のトイレに流し処理することを特徴とする使い捨て男性用軽頻度尿漏れケース。【０００７】  従来のタイプは吸水性・保水性に優れているが、しばらく使用可能なため尿臭が漂い、陰部が不潔になり皮膚のただれや尿疾患の病気などを誘発しやしいため防止することを特徴とする使い捨て男性用軽頻度尿漏れケース。【０００８】  着用者が長時間使用すると、着脱の粘着性を高めないと活発な行動をするとずれたり取れたり漏れたりするが、使い捨て男性用軽頻度尿漏れケースは１回ごとの使い捨てだから尿漏れが止まれば大便器に流すため、取れる心配がないのがこの特徴とする使い捨て男性用軽頻度尿漏れケース。【０００９】  袋状ケースの上部の一片が自在調節可能なため多様な人にも着用が可能なことを特徴とする使い捨て男性用軽頻度尿漏れケース。
【考案を実施するための最良の形態】
【００１０】  使い捨て男性用軽頻度尿漏れケースの素材はトィレットペーパーの材料を使用し適度の厚みで軽頻度の尿漏れを保水吸収し、水解性・流水性に優れており、袋状の上部一片の長さが自在調整でき、男性のいろんなタイプの者でも着用可能です。また、尿漏れを防止し保水性に優れており、使用後はトイレに流せるため後処理に便利である。そして、素材がトィレットペーパーのため経済的なコストも安価です。使用方法は、１回ごとの使い捨てのため、着用者の着用時の精神的不安や周囲への尿臭等の精神的な不安や心配が解決できる。着用者の尿漏れが止めれば尿漏れケースを着脱し大便用トイレに流し通常の下着の状態に戻れるので着用の不快感も解消される。
【実施例】
【００１１】  このケースは、吸水性・流水性・水解性の優れたトィレットペーパーを素材として形成される１袋本体からなり、傾斜図で袋体の２袋部内部にペニスを挿入できる形状の袋前部４を備え６袋後部６の上部片端にはパンツの上部に係止できる３折り返し部を備えている。以下、添付図面に従って実施例を説明すると図１は、軽頻度尿漏れケースの一体化された傾斜図である。１の袋本体の内側２に男性器を挿入し、３の上部の片端が折り返しによる自在調整が可能であり、３を折り返しパンツ等に一時的に止めて着用する。【００１２】  図２は、軽頻度尿漏れケースを着用した時の実施例です。  ２の袋部内側に男性器を挿入し、３はパンツのゴム状の部位を利用して折り返し一時的に係止する。
【図面の簡単な説明】
【００１３】
【図１】本考案軽頻度尿漏れケースの傾斜図である。
【図２】考案軽頻度尿漏れケースをパンツに着用した実施例を示す。
【符号の説明】
【００１４】１ケース袋本体
２ケースの袋部内部
３ケースの折り返し部
４ケースの袋前部
５ケースの袋底部
６ケースの袋後部
【図１】
0003122861.tif 000003
【図２】
0003122861.tif 000004
(57)【要約】【課題】本考案は美肌エステの一つとして、うぶ毛を取り去る事が大事であり、シェバーでの、うぶ毛剃りは肌荒れを起こす等問題点が多く、これらを解消するため、簡単な方法で且つ、プロ級の効果を提供する事にある。【解決手段】離反溝（４）と離反孔（５）を設けた糸支持体（３）に、コイルバネ（６）を設けた押レバー（２）を装着し、さらに糸支持体（３）の二分割先端部（７）に捩糸（１）を設けてなる、うぶ毛取器。【選択図】図１
0003122863.tif 000002
【実用新案登録請求の範囲】
【請求項１】
離反溝（４）と離反孔（５）を設けた糸支持体（３）に、コイルバネ（６）を設けた押レバー（２）を装着し、さらに糸支持体（３）の二分割先端部（７）に捩糸（１）を設けてなる、うぶ毛取器。
【考案の詳細な説明】
【技術分野】
【０００１】  本考案は、美肌美容の分野の一つとしての、うぶ毛を取る技術に関するものである。
【背景技術】
【０００２】  従来、肌のくすみの原因になるので、うぶ毛をカミソリ等で剃っていた。また、台湾では挽面と呼ばれる台湾伝統のうぶ毛取りがある。
【考案の開示】
【考案が解決しようとする課題】
【０００３】  これは次のような問題点があった。
これらのうぶ毛取りの方法は、シェーバーで剃って処理するので、どんどん毛が濃くなって見えるし、毛穴が開いて大きく見えるし、剃った後がざらざらする。また個人差により、黒いポツポツが出来たり、毛だけでなく肌も一緒に削れてしまう。また台湾のエステの一つでもあるが、挽面はうぶ毛を引き抜いて処理するので大変良いが、熟練のプロにより行われるので、その費用や時間が必要であった。
本考案は、このような問題点を改善する為に、なされたものである。
【課題を解決するための手段】
【０００４】  これらの課題を解決する方法としては、ステンレス鋼板等で形成した、離反溝（４）と離反孔（５）を設けた糸支持体（３）に、コイルバネ（６）を設けた押レバーを装着して、次に細くて丈夫な絹糸あるいはテグス糸、ゴム糸等を２本捩り合わた捩糸（１）を二分割先端部（７）に取付けて設ける。この時糸支持体（３）に対して、これら捩糸（１）は強く左右に引っ張られたピーンとした状態で取付けられる。
本考案は、以上のような構成よりなる、うぶ毛取器である。
【考案の効果】
【０００５】  誰でも簡単に、捩糸を肌に当ててレバーを指で押すだけで、うぶ毛を脱毛し毛根から処理するのでツルツル肌になり、プロのエステと同様に肌の透明感が向上する。
【考案を実施するための最良の形態】
【０００６】  本考案は、うぶ毛を毛根よりピッピッと絡め取る、台湾伝統の捩糸をあやつる熟練の技術で、適当に捩り巻いた糸を、左右に引張ったり縮ませたりする事により捩りがくるくる回る力が生じて、うぶ毛を巻込んで瞬間に毛根より、絡め引き抜く点に着目したのである。まず糸を左右に引張ったり縮めたりさせる、ステンレス鋼材を主力材料にした糸支持体（３）に、離反溝（４）と離反孔（５）を設ける。そしてこの離反孔（５）にコイルバネ（６）を取付けた、押レバー（２）を装填して設ける。さらに図１のごとく左右の二分割先端部（７）に、捩糸（１）の左右先端を装着して設ける。この糸は細くて丈夫な絹糸や、細いテグス糸またはゴム糸等を２本および複数本、捩り巻いたものが良い。また、糸支持体（３）はバネ作用が強く、左右方向に拡がる力が強い。
このような構成であり、使用する時には肌のうぶ毛に捩糸（１）を軽く当てて、この押レバー（２）を押すことにより、押レバー（７）のテーパー部分が離反孔（５）を押広げる作用をもたらして、糸支持体（３）の離反溝（４）が左右に広がり、二分割先端部（７）が、さらに糸離反力（８）を伴って左右に広がる。この時に糸支持体（３）は、左右の内側に若干縮み、捩糸（１）も少し張りが緩むがすぐ元に張り戻り、同時に二分割先端部（７）が左右に広がり、糸離反力（８）により、糸の捩れが強く張り戻り、この時に糸は強く捩り回転する。そして押レバーを離せば、二分割先端部が閉じて捩糸は縮んでこの時も回転が生じる。この原理でうぶ毛を素早く毛根より絡め取るのである。
【図面の簡単な説明】
【０００８】
【図１】  本考案の斜視図である。
【符号の説明】
【０００９】  １  捩糸
２  押レバー
３  糸支持体
４  離反溝
５  離反孔
６  コイルバネ
７  二分割先端部
８  糸離反力
【図１】
0003122863.tif 000003
(57)【要約】      （修正有）【課題】三角コーナーから出る悪臭を低減可能な三角コーナーの提供。【解決手段】流し台のコーナーに設置される水切り用の三角コーナー１０において、流し台の壁面に面する側面１２及び１３には、液体が通過可能な孔１９が設けられ、生ゴミ等が三角コーナー１０の内部に投入されたときに、孔１９から液体が流し台へ排出されて、生ゴミ等の水分を切ることができるようになっている。それに対し、流し台の内部に面する側面１１には、孔が設けられず、三角コーナー１０の内部に溜まっている生ゴミ等から発生する悪臭が、流し台の内側へ漏れ出てこないようになっている。【選択図】図１
0003122854.tif 000002
【実用新案登録請求の範囲】
【請求項１】
流し台のコーナーに設置される水切り用の三角コーナーであって、
前記流し台の壁面に面する側面には、液体が通過可能な孔が設けられ、
前記流し台の内部に面する側面には、前記孔が設けられないことを特徴とする三角コーナー。
【請求項２】
該三角コーナーの上面を覆うための蓋を有することを特徴とする請求項１に記載の三角コーナー。
【請求項３】
該三角コーナーの底面は、前記流し台の壁面の方へ向かって下がるように傾斜していることを特徴とする請求項１又は２に記載の三角コーナー。
【考案の詳細な説明】
【技術分野】
【０００１】  この考案は、家庭用台所流しに使用する三角コーナーに関する。
【背景技術】
【０００２】  台所で出た生ゴミ等の水分を切るために、流し台の隅に設置可能な三角コーナーが広く利用されている。三角コーナーには、水分が通過し、かつ、生ゴミ等が通過しない程度の大きさの孔が設けられており、水分を含んだ生ゴミ等を投入すると、水分のみが三角コーナーの外部へ排出され、三角コーナーの内部には生ゴミ等が蓄積される。これにより、排水管に生ゴミ等が混入するのを防ぐことができ、生ゴミを適切に廃棄することができる。
【特許文献１】実開平６−１４１０３号公報
【考案の開示】
【考案が解決しようとする課題】
【０００３】  しかしながら、三角コーナーに生ゴミ等が溜まっているときには、内部の生ゴミ等の悪臭が外部に漏れ、使用者に不快感を感じさせるという問題があった。【０００４】  本考案は、このような状況に鑑みてなされたものであり、その目的は、三角コーナーから出る悪臭を低減する技術を提供することにある。
【課題を解決するための手段】
【０００５】  上記課題を解決するために、本考案のある態様の三角コーナーは、流し台のコーナーに設置される水切り用の三角コーナーであって、前記流し台の壁面に面する側面には、液体が通過可能な孔が設けられ、前記流し台の内部に面する側面には、前記孔が設けられないことを特徴とする。【０００６】  該三角コーナーの上面を覆うための蓋を有していてもよい。該三角コーナーの底面は、前記流し台の壁面の方へ向かって下がるように傾斜していてもよい。
【考案の効果】
【０００７】  本考案によれば、三角コーナーから出る悪臭を低減することができる。
【考案を実施するための最良の形態】
【０００８】  図１は、実施の形態に係る三角コーナーの外観を示す。三角コーナー１０は、底面１４が略三角形の形状を有しており、流し台のコーナーに沿って設置可能となっている。三角コーナー１０が流し台のコーナーに設置されたときに、流し台の壁面に面する側面１２及び１３には、液体が通過でき、生ゴミ等が通過できない程度の孔１９が多数設けられており、生ゴミ等が三角コーナー１０の内部に投入されたときに、孔１９から液体が流し台へ排出されるので、生ゴミ等の水分を切ることができるようになっている。それに対し、流し台の内部に面する側面１１には、孔が設けられない。すなわち、液体を排出するための孔１９は、外部から見えない、流し台の壁面側の側面１２及び１３のみに設けられており、外部から見える手前側の側面１１には設けられない。このような構成により、三角コーナー１０の内部に溜まっている生ゴミ等から発生する悪臭が、流し台の内側へ漏れ出てこないようになっている。また、三角コーナー１０の内部に溜まっている生ゴミ等を見えなくすることができるので、使用者の不快感を低減することができる。【０００９】  図２は、三角コーナーの蓋を閉めた様子を示す。実施の形態の三角コーナー１０は、上面を覆うための蓋１５を有しており、使用しないときには蓋１５を閉めることができるようになっている。これにより、三角コーナー１０の内部に溜まっている生ゴミ等から発生する悪臭が外部へ漏れ出てこないようにすることができる。また、三角コーナー１０の内部に溜まっている生ゴミ等を見えなくすることができるので、使用者の不快感を低減することができる。手前側の側面１１に孔を設けず、かつ、上面を蓋１５で覆うようにすれば、使用者側の面は全て塞がれるので、悪臭の漏れを低減し、かつ、内部の生ゴミ等を隠す効果が高い。【００１０】  蓋１５は、プラスチックや樹脂などの安価な素材で構成されるのが好ましい。また、三角コーナー１０の本体も同様にプラスチックや樹脂などの安価な素材で構成されるのが好ましい。これにより、三角コーナー１０の価格を低減し、流通を促進することができる。【００１１】  図３は、三角コーナーの底面を示す。三角コーナー１０の底面１４は、流し台の壁面側の頂点１６が低く、逆側、すなわち、流し台の内部の側の辺１７が高くなるように設けられている。したがって、流し台の壁面の方へ向かって下がるように底面１４が傾斜しているので、三角コーナー１０の内部に溜まった水分が、図中矢印の方向へ流れやすくなり、底面１４に設けられた孔１８、又は、側面１２又は１３に設けられた孔１９から排出されやすくなる。これにより、溜まった水分を速やかに外部へ排出することができ、生ゴミ等の腐敗の進行を低減し、悪臭の発生を低減することができる。また、生ゴミ等の水分を切り、廃棄しやすいようにすることができる。【００１２】  底面１４に設けられる孔１８は、手前側、すなわち、流し台の内側の辺１７の近傍には設けられず、流し台の側面側の頂点１６の近傍のみに設けられてもよい。あるいは、底面１４には孔を設けず、底面１４に溜まった水分は、側面１２又は１３に設けられた孔１９から排出するようにしてもよい。これにより、流し台の内側へ漏れ出る悪臭を更に低減��ることができる。【００１３】  以上、本考案を実施の形態をもとに説明した。この実施の形態は例示であり、それらの各構成要素や各処理プロセスの組合せにいろいろな変形例が可能なこと、またそうした変形例も本考案の範囲にあることは当業者に理解されるところである。
【図面の簡単な説明】
【００１４】
【図１】実施の形態に係る三角コーナーの外観を示す図である。
【図２】三角コーナーの蓋を閉めた様子を示す図である。
【図３】三角コーナーの底面を示す図である。
【符号の説明】
【００１５】  １０  三角コーナー
１１，１２，１３  側面
１４  底面
１５  蓋
１８，１９  孔
【図１】
0003122854.tif 000003
【図２】
0003122854.tif 000004
【図３】
0003122854.tif 000005
(57)【要約】      （修正有）【課題】タバコの煙が室内に広がる事を防止するカートリッジ式タバコの煙取りの提供。【解決手段】吸引モーターで煙を活性炭の中を通して煙を濾過する。【選択図】図１
0003122852.tif 000002
【実用新案登録請求の範囲】
【請求項１】
フイルターの笠に活性炭を入れた容器をカートリッジ式にして吸引モーターに取付けタバコの煙をすいあげて、なくす事を目的としたカートリッジ式タバコの煙取りとする
【考案の詳細な説明】
【技術分野】
【０００１】本考案はタバコの煙が室内に広がる事を防止するものです
【背景技術】
【０００２】フイルターの笠と活性炭をカートリッジ式に組合せ吸引モーターですいあげたタバコの煙をけす事です。
【考案の開示】
【考案が解決しようとする課題】
【０００３】タバコの煙が室内に広がる事を防止する事。
【課題を解決するための手段】
【０００４】タバコの煙が上にあがることを利用してフィルター用笠で煙を集めモーターで吸引した煙を活性炭を通して煙をなくす事。
【考案の効果】
【０００５】室内にタバコの煙が広がらなく、ヤニがつかない。
【考案を実施するための最良の形態】
【０００６】フイルターを笠の形にして活性炭を入れた容器をカートリッジ式にして吸引モーターに取付ける円管形にしたもの。
【実施例】
【０００７】喫煙者の頭上に容易に吊下げられる。
【図面の簡単な説明】
【０００８】
【図１】カートリッジ式タバコの煙取り全体図
【符号の説明】
【０００９】１．吸引モーター
２．活性炭
３．笠形フィルター
【図１】
0003122852.tif 000003